(57)【要約】      （修正有）【課題】安全に登り降りできる梯子を備えたタンクコンテナを提供する。【解決手段】マンホールを上面に備える前後方向に長いタンク、タンクの周囲に構築された、前方左側支柱、前方右側支柱、後方左側支柱、後方右側支柱１３ｄ、前方左右両側の各支柱の上端部を連結するように設けられた前方上側梁材、および後方左右両側の各支柱の上端部と下端部のそれぞれを連結するように設けられた後方上側梁材１５ａ及び後方下側梁材１５ｂを含む枠体、前方上側梁材と後方上側梁材の間にタンクの前後方向に沿って配置された足場、そして後方上側梁材と後方下側梁材の間で、足場近傍に掛けられた梯子３８からなるタンクコンテナ３０であって、上記梯子が、上端部が後方上側梁材に沿う軸を中心として回転可能なるように後方上側梁材に固定され、下端部が後方下側梁材より後方位置にて仮固定されることにより傾斜した梯子となるように構成される。【選択図】図１
2007217001.tif 000002
【特許請求の範囲】
【請求項１】
液体もしくは粉体の送出入を可能にする開閉可能なマンホールを上面に備える前後方向に長いタンク、該タンクの周囲に固定関係にて構築された、少なくとも前方左側支柱、前方右側支柱、後方左側支柱、後方右側支柱、前方左側支柱及び前方右側支柱の上端部を連結するように設けられた前方上側梁材、および後方左側支柱及び後方右側支柱の上端部及び下端部のそれぞれを連結するように設けられた後方上側梁材及び後方下側梁材を含む枠体、前方上側梁材と後方上側梁材との間にタンクの前後方向に沿って配置された足場、そして後方上側梁材と後方下側梁材との間で、該足場に近接する位置にて掛けられた梯子からなるタンクコンテナであって、該梯子が、上端部が後方上側梁材に沿う軸を中心とした回転が可能なように後方上側梁材に固定され、下端部が後方下側梁材より後方位置にて仮固定されることにより傾斜をもった梯子となるように構成されていることを特徴とするタンクコンテナ。
【請求項２】
梯子の下端部の仮固定が、一方の端部が梯子の下端部に回転可能に軸支され、他方の端部が後方下側梁材から上方に伸びた支持部材に回転可能に軸支された、中間部にて折曲げが可能な一対のリンクによりなされていることを特徴とする請求項１に記載のタンクコンテナ。
【請求項３】
梯子の下端部の仮固定が、一方の端部が後方下側梁材に備えられた支持部材に回転可能に軸支され、他方の端部が梯子にその長さ方向に滑動可能に支持された一対のリンクによりなされていることを特徴とする請求項１に記載のタンクコンテナ。
【請求項４】
梯子の下端部の仮固定が、一方の端部が梯子の下端部に回転可能に軸支され、他方の端部が後方下側梁材から上方に伸びた支持部材に上下方向に滑動可能に支持された一対のリンクによりなされていることを特徴とする請求項１に記載のタンクコンテナ。                                                                              
【発明の詳細な説明】
【技術分野】
【０００１】
本発明は、車両や船舶に積載されて運搬されるタンクコンテナに関する。
【背景技術】
【０００２】
従来より、大量の液体もしくは粉体（以下、液体等と云うことがある）を輸送するためにタンクコンテナを用いることは知られている。タンクコンテナは、例えば、タンクコンテナ積載用のトレーラと、このトレーラに連結された牽引車とからなる運搬車両によって運搬される。タンクコンテナはまた、鉄道車両や船舶によって運搬されることもある。
【０００３】
図８は、従来のタンクコンテナを積載した運搬車両の構成例を示す側面図であり、図９は、図８のタンクコンテナ積載車両の平面図であり、そして図１０は、図８のタンクコンテナ積載車両の背面図である。
【０００４】
図８〜図１０に示すタンクコンテナ１０は、液体等の送出入を可能にする開閉可能なマンホール１１を上面に備える前後方向に長いタンク１２、タンク１２の周囲に固定関係にて構築された、前方左側支柱１３ａ、前方右側支柱１３ｂ、後方左側支柱１３ｃ、後方右側支柱１３ｄ、前方左側支柱１３ａ及び前方右側支柱１３ｂの上端部を連結するように設けられた前方上側梁材１４ａ、および後方左側支柱１３ｃ及び後方右側支柱１３ｄの上端部及び下端部のそれぞれを連結するように設けられた後方上側梁材１５ａ及び後方下側梁材１５ｂを含む枠体１６、前方上側梁材１４ａと後方上側梁材１５ａとの間にタンク１２の前後方向に沿って配置された足場１７、そして後方上側梁材１５ａと後方下側梁材１５ｂとの間で、足場１７に近接する位置にて掛けられた梯子１８などから構成されている。タンクコンテナ１０は、例えば、トレーラ１９とトレーラ１９に連結された牽引車２０とからなる運搬車両によって運搬される。このような構成を持つタンクコンテナは、例えば、非特許文献１に開示されている。
【０００５】
タンクコンテナ１０には、通常、液体等の輸送効率の観点から高さが２ｍを超える大きなサイズのタンク１２が備えられている。従って、作業者はタンクコンテナ１０の梯子１８を用いてタンクの上部に配置されている足場１７に登り、そしてタンク１２のマンホール１１から液体等の送出入を行なっている。
【非特許文献１】“バルクタンクコンテナでコストセーブと安全輸送”、[online]、２００４年、日本陸運産業、[平成１８年１月２３日検索]、インターネット＜ URL : http://www.nrsgroup.co.jp/eigyo/lease/iso.html＞
【発明の開示】
【発明が解決しようとする課題】
【０００６】
上記のような梯子付きのタンクコンテナにおいては、例えば、作業者がタンクのマンホールから液体等を送出入するために用いるホースを持ちながら梯子を登り降りする場合がある。このような場合に、作業者が安全に梯子を登り降りできることが望ましい。
【０００７】
本発明の課題は、安全に登り降りできる梯子を備えたタンクコンテナを提供することにある。
【課題を解決するための手段】
【０００８】
本発明は、液体もしくは粉体の送出入を可能にする開閉可能なマンホールを上面に備える前後方向に長いタンク、このタンクの周囲に固定関係にて構築された、少なくとも前方左側支柱、前方右側支柱、後方左側支柱、後方右側支柱、前方左側支柱及び前方右側支柱の上端部を連結するように設けられた前方上側梁材、および後方左側支柱及び後方右側支柱の上端部及び下端部のそれぞれを連結するように設けられた後方上側梁材及び後方下側梁材を含む枠体、前方上側梁材と後方上側梁材との間にタンクの前後方向に沿って配置された足場、そして後方上側梁材と後方下側梁材との間で、足場に近接する位置にて掛けられた梯子からなるタンクコンテナであって、上記の梯子が、上端部が後方上側梁材に沿う軸を中心とした回転が可能なように後方上側梁材に固定され、下端部が後方下側梁材より後方位置にて仮固定されることにより傾斜をもった梯子となるように構成されていることを特徴とするタンクコンテナにある。
【０００９】
本発明のタンクコンテナの好ましい態様は、次の通りである。
（１）梯子の下端部の仮固定が、一方の端部が梯子の下端部に回転可能に軸支され、他方の端部が後方下側梁材から上方に伸びた支持部材に回転可能に軸支された、中間部にて折曲げが可能な一対のリンクによりなされている。
（２）梯子の下端部の仮固定が、一方の端部が後方下側梁材に備えられた支持部材に回転可能に軸支され、他方の端部が梯子にその長さ方向に滑動可能に支持された一対のリンクによりなされている。
（３）梯子の下端部の仮固定が、一方の端部が梯子の下端部に回転可能に軸支され、他方の端部が後方下側梁材から上方に伸びた支持部材に上下方向に滑動可能に支持された一対のリンクによりなされている。
【発明の効果】
【００１０】
本発明のタンクコンテナにおいては、使用時に梯子を傾斜させ仮固定することができるため、作業者は傾斜した梯子を安定した姿勢で安全に登り降りすることができる。また本発明のタンクコンテナの梯子を、使用しない時にタンクコンテナの枠体の外側には突出しないように、すなわち後方上側梁材と後方下側梁材との間に垂直に配置されるように構成することにより、多数のタンクコンテナを高い密度でコンテナヤードに並べて配置することができるようになる。
【発明を実施するための最良の形態】
【００１１】
前記のように、液体もしくは粉体の送出入を可能にする開閉可能なマンホールを上面に備える前後方向に長いタンク、このタンクの周囲に固定関係にて構築された、少なくとも前方左側支柱、前方右側支柱、後方左側支柱、後方右側支柱、前方左側支柱及び前方右側支柱の上端部を連結するように設けられた前方上側梁材、および後方左側支柱及び後方右側支柱の上端部及び下端部のそれぞれを連結するように設けられた後方上側梁材及び後方下側梁材を含む枠体、前方上側梁材と後方上側梁材との間にタンクの前後方向に沿って配置された足場、そして後方上側梁材と後方下側梁材との間で、足場に近接する位置にて掛けられた梯子からなるタンクコンテナは既に知られている。
【００１２】
本発明のタンクコンテナは、梯子の構成に大きな特徴があり、梯子以外の構成は、図８〜図１０に示す従来のタンクコンテナと同様である。以下では、本発明のタンクコンテナをその特徴部分である梯子を中心に詳しく説明する。
【００１３】
図１は、本発明のタンクコンテナ及びその梯子の構成例を示す図である。図１に示すように、本発明のタンクコンテナ３０の梯子３８は、後方上側梁材１５ａと後方下側梁材１５ｂとの間で、タンクコンテナの足場（図示は略する）に近接する位置にて掛けられている。この梯子３８は、上端部が後方上側梁材１５ａに沿う軸を中心とした回転が可能なように後方上側梁材１５ａに固定され、下端部が後方下側梁材１５ｂより後方位置にて仮固定されることにより傾斜をもった梯子となるように構成されている。
【００１４】
このように、タンクコンテナ３０に傾斜した梯子３８が備えられていると、作業者は、例えば、タンクのマンホールから液体等を送出入するために用いるホースを持ちながら梯子３８を安全に登り降りすることができる。従来のタンクコンテナのように梯子が垂直に配置されていると、作業者はその体重の大部分を両手もしくは片手（例えば、ホースを左手で持ちながら梯子を登り降りする場合には右手）で支えながら梯子を登り降りすることが必要になるためにバランスを崩し易いのに対し、梯子が傾斜して配置されていると、作業者は階段を登り降りする場合のように、その体重の大部分を両足で支えながら安定した姿勢で梯子を登り降りすることができるからである。
【００１５】
下端部が後方下側梁材１５ｂより後方位置にて仮固定されて傾斜した梯子の傾斜角は、垂直方向に対して１０乃至４０度の範囲にあることが好ましい。梯子の傾斜角が１０度未満であると、梯子が垂直に配置されている場合と同様に作業者が梯子を登り降りする際にバランスを崩し易く、そして梯子の傾斜角が４０度を超えると、作業者が腰を曲げた姿勢で梯子を手で掴む必要があるために梯子を登り降りし難いからである。
【００１６】
図１に示すように、梯子３８の下端部の仮固定は、一方の端部が梯子３８の下端部に回転可能に軸支され、他方の端部が後方下側梁材１５ｂから上方に伸びた支持部材４１に回転可能に軸支された、中間部にて折曲げが可能な一対のリンク４２ａ、４２ｂによりなされていることが好ましい。図１に示すようにリンク４２ｂの支持部材としては、後方右側支柱１３ｄが用いられている。このように、リンクの支持部材として、後方下側梁材１５ｂから上方に伸びた支柱（後方左側支柱あるいは後方右側支柱）を用いることもできる。
【００１７】
リンク４２ａ、４２ｂのそれぞれは、軸４４を中心として互いに回転可能に連結されたリンク部材４３ａ及びリンク部材４３ｂから構成されており、その中間部（軸４４の位置）にて折り曲げ可能とされている。リンク４２ａのリンク部材４３ａの軸４４の側とは逆側の端部は、支持部材４１に軸４５を中心として回転可能に軸支されており、そしてリンク部材４３ｂの軸４４の側とは逆側の端部は、梯子３８の下端部に軸４６を中心として回転可能に軸支されている。なお、リンク４２ｂの構成は、そのリンク部材４３ａの軸４４の側とは逆側の端部が、支持部材として用いる後方右側支柱１３ｄに軸４５を中心として回転可能に軸支されていること以外はリンク４２ａと同様である。
【００１８】
そして、リンク４２ａ、４２ｂの各々の中間部（軸４４の位置）に上方に力を加えると、図２に示すようにリンク４２ａ、４２ｂの各々が折れ曲がり、これにより梯子３８の傾斜角が次第に小さくなる。続けて各々のリンクが更に折れ曲がるように梯子３８を後方下側梁材１５ｂの側に押すと、図３に示すようにリンク４２ａ、４２ｂの各々は、そのリンク部材４３ａ及びリンク部材４３ｂが互いに重なり合う状態になるまで折れ曲がり、そして梯子３８が垂直に配置される。
【００１９】
このように梯子３８が垂直に配置された状態にて、支持部材４１及び後方右側支柱１３ｄの各々に備えられた梯子仮止め用部材４７の透孔（図２：４７ａ）と、梯子３８の下端部に設けられている透孔（図２：３８ａ）とが互いに重なり合うため、これらの透孔に梯子仮止め用の棒材４８を通すことにより、梯子３８を垂直に配置された状態にて仮止めすることができる。これにより、例えば、タンクコンテナを積載した輸送車両の走行時の振動により、梯子に不要な揺れが発生することを防止できる。なお、各々の梯子仮止め用の棒材４８は、紛失しないようにワイヤーなどを用いて支持部材４１や後方右側支柱１３ｄに吊り下げ固定しておくことが好ましい。なお、梯子３８に取り付けられている位置決め板４９は、梯子が垂直に配置された状態にて折り畳まれたリンク４２ｂの端面に接触し、梯子３８の下端部に設けられている透孔（図２：３８ａ）が、梯子仮止め用部材４７の透孔（図２：４７ａ）の真上に配置された状態で梯子の移動を規制する（梯子を位置決めする）機能を有している。
【００２０】
通常、運搬車両等に積載する前のタンクコンテナは、コンテナヤードに並べて配置され（更に必要に応じて上下に積み重ねられ）保管される。タンクコンテナがその枠体よりも外側に突出した部分を有していると、タンクコンテナをその突出部分が別のタンクコンテナと接触しないように互いに間隔をあけてコンテナヤードに並べて配置するのに非常に手間がかかり、またタンクコンテナの保管のために広いコンテナヤードが必要になる。図１〜図３に示すタンクコンテナ３０の梯子３８は、使用しない時には後方上側梁材１５ａと後方下側梁材１５ｂとの間に垂直に（後方下側梁材よりも後方には突出しないように）配置しておくことができるため、多数のタンクコンテナをコンテナヤードに高い密度で並べて配置することができる。
【００２１】
図４は、本発明のタンクコンテナ及びその梯子の別の構成例を示す図であり、そして図５は、図４に記入した切断線V−V線に沿って切断したタンクコンテナの断面図である。図４及び図５に示す梯子５８の下端部の仮固定は、一方の端部が後方下側梁材１５ｂに備えられた支持部材６１に回転可能に軸支され、他方の端部が梯子５８にその長さ方向に滑動可能に支持された一対のリンク５２ａ、５２ｂによりなされている。
【００２２】
図４及び図５に示す梯子５８は、例えば、金属製のパイプ材から作製される。そして梯子５８の各々の側面には、その長さ方向に沿って長孔５８ａが形成されている。リンク５２ａ、５２ｂの各々の梯子５８の側の端部は、梯子の長孔５８ａに係合して長孔に沿って移動可能な突起（図示は略する）を備えており、これにより梯子５８の長さ方向に滑動可能とされている。
【００２３】
そして図５に示すように、垂直に配置された梯子（実線で図示した）の下端部を後方に引くと、各々のリンクの梯子の側の端部が梯子の長さ方向に滑動し、これにより梯子は図中に一点鎖線で示した状態に傾斜する。そして更に梯子の下端部を後方に引くと、梯子は図中に二点鎖線で示した状態に傾斜すると共に、リンク５２ａ、５２ｂの各々が備える突起が、長孔５８ａに対して略垂直方向に伸びる長孔の延長部５８ｂに嵌め合わされ、梯子の下端部が後方下側梁材より後方の位置にて仮固定される。図４及び図５に示すタンクコンテナは、図１〜図３のタンクコンテナと比較して、梯子を仮固定するリンクの構成が簡単であるという利点を有している。
【００２４】
図６は、本発明のタンクコンテナ及びその梯子の更に別の構成例を示す図であり、そして図７は、図６に記入した切断線VII−VII線に沿って切断したタンクコンテナの断面図である。図６及び図７に示す梯子７８の下端部の仮固定は、一方の端部が梯子７８の下端部に回転可能に軸支され、他方の端部が後方下側梁材１５ｂから上方に伸びた支持部材８１に上下方向に滑動可能に支持された一対のリンク７２ａ、７２ｂによりなされている。
【００２５】
図６及び図７に示す各々の支持部材８１は、例えば、金属製のパイプ材から作製される。そして各々の支持部材８１の側面には、上下方向に伸びる長孔８１ａが形成されている。リンク７２ａ、７２ｂの各々の支持部材８１の側の端部は、支持部材の長孔８１ａに係合して長孔に沿って移動可能な突起（図示は略する）を備えており、これにより上下方向に滑動可能とされている。
【００２６】
そして、図７に示すように、垂直に配置された梯子（実線で図示した）の下端部を後方に引くと、各々のリンクの支持部材８１の側の端部が上下方向に滑動し、これにより梯子は図中に一点鎖線で示した状態に傾斜する。そして更に梯子の下端部を後方に引くと、梯子は図中に二点鎖線で示した状態に傾斜すると共に、リンク７２ａ、７２ｂの各々が備える突起が、長孔８１ａに対して略垂直方向に伸びる長孔の延長部（図示は略する）に嵌め合わされ、梯子の下端部が後方下側梁材より後方の位置にて仮固定される。図６及び図７に示すタンクコンテナもまた、図１〜図３のタンクコンテナと比較して、梯子を仮固定するリンクの構成が簡単であるという利点を有している。
【００２７】
このように、本発明のタンクコンテナにおいては、使用時に梯子を傾斜させて仮固定することができるため、作業者は傾斜した梯子を安定した姿勢で安全に登り降りすることができる。また本発明のタンクコンテナの梯子を、使用しない時にタンクコンテナの枠体の外側には突出しないように、すなわち後方上側梁材と後方下側梁材との間に垂直に配置されるように構成することにより、多数のタンクコンテナを高い密度でコンテナヤードに並べて配置することができるようになる。なお、梯子の下端部を仮固定するためのリンクとしては、図示した構成以外の公知の構成のリンクを用いることができる。
【図面の簡単な説明】
【００２８】
【図１】本発明のタンクコンテナ及びその梯子の構成例を示す図である。
【図２】図１に示す梯子３８の動作を説明する図である。
【図３】図１に示す梯子３８の動作を説明する別の図である。
【図４】本発明のタンクコンテナ及びその梯子の別の構成例を示す図である。
【図５】図４に記入した切断線V−V線に沿って切断したタンクコンテナの断面図である。但し、タンクコンテナの後方右側支柱１３ｄの記載は省略してある。
【図６】本発明のタンクコンテナ及びその梯子の更に別の構成例を示す図である。
【図７】図６に記入した切断線VII−VII線に沿って切断したタンクコンテナの断面図である。但し、タンクコンテナの後方右側支柱１３ｄの記載は省略してある。
【図８】従来のタンクコンテナを積載した運搬車両の構成例を示す側面図である。
【図９】図８のタンクコンテナ積載車両の平面図である。
【図１０】図８のタンクコンテナ積載車両の背面図である。
【符号の説明】
【００２９】
１０  タンクコンテナ
１１  マンホール
１２  タンク
１３ａ  前方左側支柱
１３ｂ  前方右側支柱
１３ｃ  後方左側支柱
１３ｄ  後方右側支柱
１４ａ  前方上側梁材
１５ａ  後方上側梁材
１５ｂ  後方下側梁材
１６  枠体
１７  足場
１８  梯子
１９  トレーラ
２０  牽引車
３０  タンクコンテナ
３８  梯子
３８ａ  透孔
４１  支持部材
４２ａ、４２ｂ  リンク
４３ａ、４３ｂ  リンク部材
４４、４５、４６  軸
４７  梯子仮止め用部材
４７ａ  透孔
４８  梯子仮止め用棒材
４９  位置決め板
５２ａ、５２ｂ  リンク
５８  梯子
５８ａ  長孔
５８ｂ  長孔の延長部
６１  支持部材
７２ａ、７２ｂ  リンク
７８  梯子
８１  支持部材
８１ａ  長孔                                                                                
【図１】
2007217001.tif 000003
【図２】
2007217001.tif 000004
【図３】
2007217001.tif 000005
【図４】
2007217001.tif 000006
【図５】
2007217001.tif 000007
【図６】
2007217001.tif 000008
【図７】
2007217001.tif 000009
【図８】
2007217001.tif 000010
【図９】
2007217001.tif 000011
【図１０】
2007217001.tif 000012